(57)【特許請求の範囲】
【請求項１】
天井に吊り下げられる空気調和装置（１０）であって、
室内空気の吸い込み口と吹き出し口とを有する本体ケーシング（１１）と、
室内空気を前記吸い込み口（２０）から吸い込んで前記吹き出し口（２１）側に吹き出すためのファン（１２）と、
前記ファン（１２）の吹き出し口（２１）側に設けられる熱交換器（１３）と、
前記本体ケーシング内部を前記吸い込み口（２０）側と吹き出し口（２１）側とに区画するように設けられており、前記ファン（１２）による空気流のための開口と、運転時には閉じられている開閉可能な点検口（４０）が形成されているファン仕切板（２６）と、
前記ファン仕切板（２６）により区画された吹き出し口側でかつ熱交換器（１３）の下方に配置されたドレンパン（３１）と、
前記ファン仕切板（２６）により区画された吹き出し口側から吸い込み口側に伸びる配管（３１ａ）と、
前記点検口（４０）を覆う蓋を含む蓋機構（４１，４２）と、
を備え、
前記蓋機構（４１，４２）は、前記吸い込み口側と前記吹き出し口側とに区画するように設けられており、前記配管（３１ａ）を固定する配管押え板を兼ねる部材（４１）を有している、
空気調和装置。
【請求項２】
前記配管（３１ａ）は、前記ファン仕切板（２６）の前記点検口（４０）と、前記蓋機構（４１,４２）が有している前記部材（４１）と、によって挟み込まれて固定されている、
請求項１に記載の空気調和装置。
【請求項３】
前記ファン仕切板（２６）の前記点検口（４０）には、点検口切欠き（２６ａ）が形成されており、
前記蓋機構（４１,４２）が有している前記部材（４１）には、蓋機構切欠き（４１ｃ）が形成されており、
前記配管（３１ａ）は、前記点検口切欠き（２６ａ）と前記蓋機構切欠き（４１ｃ）に入り込むようにして固定されている、
請求項２に記載の空気調和装置。
【発明の詳細な説明】
【０００１】
【発明の属する技術分野】
本発明は、空気調和装置、特に、オフィスや商店などの天井に吊り下げられる天井吊形の空気調和装置に関する。
【０００２】
【従来の技術】
空気調和装置の一例として、天井吊形の空気調和装置が従来より提供されている。この天井吊形の空気調和装置の室内機には、吹き出し口を前面に有し天井に吊り下げ可能な本体ケーシングと、空気を吸い込んで吐き出す多翼形のファンと、熱交換器とが設けられている。また、熱交換器の下方にはドレンパンが設けられている。
【０００３】
本体ケーシングは、主に、天板部と、天板部に対向してドレンパン下方に配置された底板部と、吸い込み口に装着される吸い込みグリルと、化粧用の合成樹脂製の化粧部材とを有している。天板部は天井に吊り下げ金具により吊り下げられる。
【０００４】
このような室内機では、ファンを回転させることによって、本体ケーシングの吸い込み口から空気が本体ケーシング内部に導入され、熱交換器で空気と冷媒との間で熱交換が行われて温度調節され、温度調節された空気が吹き出し口から室内に送り込まれる。また冷房時には空気が低温の冷媒により冷却され、熱交換器に空気中の水分が凝縮し付着する。この付着する水分は、重力により落下し、ドレンパンに収集される。
【０００５】
収集されるドレン水は空気中の塵や汚れを含んでおり、使用するにしたがってドレンパンに汚れが溜まるため、定期的にドレンパンを清掃する必要がある。ドレンパンを清掃するには、まず、吸い込みグリルを開き、本体ケーシングの左右に装着される化粧部材を外し、底板部を取り外した後、ドレンパンを室内機から取り外す。そして、取り外された状態のドレンパンを清掃する。
【０００６】
【発明が解決しようとする課題】
室内機からドレンパンを取り外すには、化粧部材、底板部及びドレンパンを固定しているねじ部材を外す必要がある。特に底板は、機械的な強度を要するため、多数のねじ部材により固定されている。したがって、清掃時の底板の着脱に際しては多数のねじ部材を着脱する必要があり、作業に時間を要する。また、天井に吊り下げられる室内機の底板やドレンパンを外すのは困難であり、通常二人の作業者により行われる。このように、一度ドレンパンを取り外し清掃した後に再び取り付けるという作業には多くの工数を必要とする。また、ドレンパンを取り外して清掃を行う場合には、ドレンパンを設置する広いスペースを必要とする。
【０００７】
本発明の課題は、天井吊形の空気調和装置において、ドレンパンの清掃を容易にすることにある。
【０００８】
【課題を解決するための手段】
請求項１に係る空気調和装置は、天井に吊り下げられる空気調和装置において、本体ケーシングとファンと熱交換器とファン仕切板とドレンパンと配管と蓋機構とを備えている。本体ケーシングは室内空気の吸い込み口と吹き出し口とを有している。ファンは室内空気を吸い込み口から吸い込んで吹き出し口側に吹き出すためのものである。熱交換器はファンの吹き出し口側に設けられる。ファン仕切板は本体ケーシング内部を吸い込み口側と吹き出し口側とに区画するように設けられており、ファンによる空気流のための開口と、運転時には閉じられている開閉可能な点検口が形成されている。ドレンパンはファン仕切板により区画された吹き出し口側でかつ熱交換器の下方に配置されている。そして、ファン仕切板には開閉可能な点検口が形成されている。配管は、ファン仕切板により区画された吹き出し口側から吸い込み口側に伸びている。蓋機構は、点検口を覆う蓋を含んでいる。蓋機構は、吸い込み口側と吹き出し口側とに区画するように設けられており、配管を固定する配管押え板を兼ねる部材を有している。
【０００９】
この装置では、ファンが駆動されると、本体ケーシングの吸い込み口から内部に空気が導入される。そして、導入された空気は熱交換器によって熱交換され温度調節されて吹き出し口から室内に吹き出される。ファン仕切板は、ファンにより吹き出し口側に排出される空気流が吸い込み口側に逆流するのを防止する。熱交換器に付着する水分等はドレンパンに収集される。点検口は、通常は、ファンによる空気流が逆流しないように閉じられている。
【００１０】
このような装置においてドレンパンを清掃する際は、ファン仕切板に設けられた点検口を開くことにより、点検口を介してドレンパンの清掃を行うことができる。すなわち、ドレンパンを本体ケーシングから取り外すことなく、ドレンパンの清掃を行うことができる。このため、ドレンパンを取り外したり再び取り付けるという作業が不要となり、清掃作業が容易になる。また、取り外したドレンパンを設置するために広いスペースを要することもない。
【００１１】
また、この装置では、ドレンパンに収集されるドレン水は配管を介して外部に排出される。また、吹き出し口側と吸い込み口側との間には、冷媒の液配管等も配置される。ドレンパン清掃時には、蓋を取り外して点検口から清掃を行う。清掃後は、点検口に蓋を装着して点検口を閉じる。このとき、蓋機構を構成する部材は、ファン仕切板を貫通する配管を押さえ込んで固定する。このため、蓋機構を構成する部材が配管の押さえ板を兼ねているので、別途配管押さえ板を設ける必要がない。
【００１２】
請求項２に係る空気調和装置は、請求項１に係る空気調和装置において、配管は、ファン仕切板の点検口と、蓋機構が有している部材と、によって挟み込まれて固定されている。
【００１３】
請求項３の空気調和装置は、請求項２に係る空気調和装置において、ファン仕切板の点検口には、点検口切欠きが形成されている。蓋機構が有している部材には、蓋機構切欠きが形成されている。配管は、点検口切欠きと蓋機構切欠きに入り込むようにして固定されている。
【００１４】
【発明の実施の形態】
［第１実施形態］
〔構成〕
図１、図２及び図３は、本発明の第１実施形態としてのエアコンの天井吊形の室内機１０を示したものであり、図１は断面側面図、図２は断面平面図、図３は一部切り欠き斜視図である。
【００１５】
この室内機１０は薄型箱状の本体ケーシング１１を有している。そして、本体ケーシング１１の内部には、４つのファン１２、熱交換器１３、及びファン１２駆動用のモータ１４が設けられている。
【００１６】
本体ケーシング１１は、全体として左右に長い薄型箱形状であり、後部底面には空気を吸い込む吸い込み口２０が設けられ、前面には熱交換された空気を室内に吹き出すための吹き出し口２１が設けられている。この本体ケーシング１１は、天井に吊り下げ可能な天板部２２と、天板部２２の前側に天板部２２と対向して配置される底板部２４と、天板部２２の後側に天板部２２と対向して配置されるグリルカバー２５とを有している。グリルカバー２５は、その後端部が天板部２２の背面下端に旋回自在に装着されており、後端部を中心に旋回して開閉が可能である。
【００１７】
天板部２２は、１対の側面と背面とが板金加工により折り曲げて形成された金属製の板状部材である。グリルカバー２５は、天板部２２に開閉自在に装着されており、前述の吸い込み口２０を構成している。また、本体ケーシング１１の底板部２４とグリルカバー２５との間には、左右に長く縦置きで配置されたファン仕切板２６が設けられている。このファン仕切板２６により本体ケーシング１１の内部空間が吸い込み口２０側と吹き出し口２１側の前後２つの空間に区画されている。
【００１８】
本体ケーシング１１の前面部、側面部及び底面部は、合成樹脂製の複数の化粧部材２７により覆われている。吹き出し口２１は、この化粧部材２７の前部に略矩形で左右に長く設けられている。天板部２２の吹き出し口２１の内側に位置する前側内部には、たとえば発泡スチロール製の断熱部材３０が左右の略全長にわたって設けられている。また、底板部２４の内部には、たとえば発泡スチロール製のドレンパン３１が装着されている。ドレンパン３１の後部にはファン仕切板２６を貫通して後方に延びる配管３１ａが設けられている。熱交換器１３に付着する水分は、重力により落下してドレンパン３１に収集され、配管３１ａを介して排出される。またドレンパン３１は、ドレン水を配管３１ａ側に集めるように配管３１ａに向かってやや傾斜して形成されている。
【００１９】
なお、吹き出し口２１には、上下に揺動する第１フラップ３５と、左右に揺動する複数の第２フラップ３６とが設けられている。これらのフラップ３５,３６により吹き出し口２１から室内に供給される空気流の向きが調節される。
【００２０】
また、ファン仕切板２６の配管３１ａの上方には、図３に示すように、大きく開口する点検口４０が設けられている。そして、この点検口４０を塞ぐために、支持部材４１と蓋４２とからなる蓋機構が設けられている。
【００２１】
支持部材４１は、図４に拡大して示すように、逆Ｌ字形状のアングル部材であり、ファン仕切板２６への取付部４１ａと、取付部４１ａから後方に突出する支持部４１ｂとを有している。これらの取付部４１ａ及び支持部４１ｂにはそれぞれ複数の貫通孔が形成されている。また、ファン仕切板２６において、点検口４０の下端縁には略半円状の切欠き２６ａが形成されており、この切欠き２６ａに配管３１ａの下半分が支持されている。一方、支持部材４１の取付部４１ａには略半円状の切欠き４１ｃが形成されており、この切欠き４１ｃに配管３１ａの上半分が入り込むようになっている。そして、支持部材４１はボルト４３によりファン仕切板２６に固定される。
【００２２】
したがって、支持部材４１をファン仕切板２６に固定した状態では、配管３１ａをこの支持部材４１とファン仕切板２６とによって挟み込んで固定することが可能である。このため、配管３１ａを押さえ込んで固定するための部材を別途設ける必要はない。
【００２３】
なお、この実施形態では、配管としてドレン水排出用の配管のみを示しているが、冷媒の液配管やガス配管も同様の構成により支持することができる。
【００２４】
蓋４２は、プレート状の部材であり、図３に示すように、蓋本体４２ａと、蓋本体４２ａの下端部から後方に突出して形成された固定部４２ｂと、蓋本体４２ａの上端部に形成された係止部４２ｃとを有している。蓋本体４２ａは点検口４０を覆うことが可能な大きさに形成されている。固定部４２ｂは支持部材４１の支持部４１ｂに支持されるものであり、支持部材４１の貫通孔に対応する位置に複数のねじ孔が形成されている。また、係止部４２ｃは、蓋本体４２ａの上端部の一部を折り曲げて形成されたものであり、下方から点検口４０に差し込むことによってファン仕切板２６に裏側（前面）から係止するようになっている。
【００２５】
このような蓋４２をファン仕切板２６に固定する場合は、まず蓋４２の係止部４２ｃを点検口４０に対して下方から差し込み、蓋４２の固定部４２ｂを支持部材４１上に載せる。そして、下方からボルト４４を支持部材４１の貫通孔を貫通させ、蓋４２の固定部４２ｂのねじ孔に螺合する。これにより、蓋４２を支持部材４１を介してファン仕切板２６に固定し、蓋本体４２ａにより点検口４０を塞ぐことができる。
【００２６】
４つのファン１２は、それぞれ多翼形のシロッコファンであり、熱交換器１３や吹き出し口２１と平行に並べて配置されている。各ファン１２は、ファン仕切板２６の側面に固定されており、それぞれモータ１４に連結されて駆動される。このファン１２をモータ１４によって回転させることにより、本体ケーシング１１の吸い込み口２０から空気が本体ケーシング１１の内部に導入され、熱交換された空気が吹き出し口２１から吹き出される。
【００２７】
熱交換器１３は、内部を冷媒が循環する構造となっており、上部が吹き出し口２１側に傾斜するように配置されている。このように、熱交換器１３を傾斜して配置することにより、熱交換面積を広く確保しながら、縦（上下）方向の寸法（厚み）を抑えることができる。
【００２８】
〔通常運転動作〕
このような室内機１０を運転する場合は、点検口４０に蓋４２を嵌め込み、ファン１２から吹き出し口２１に向かう空気流が吸い込み口側に逆流しないようにする。この状態で、ファン１２を回転させると吸い込み口２０から空気が吸い込まれて吹き出し口２１から室内に吹き出される。この空気通路の途中で熱交換器１３を通過した空気と冷媒とが熱交換され、冷風又は温風が室内に供給される。
【００２９】
〔清掃作業〕
ドレンパン３１の清掃時には、まずグリルカバー２５を開き、ファン仕切板２６を露出させる。そして、点検口４０の後部に作業スペースを確保する。このような状態で、蓋４２を支持部材４１に固定しているボルト４４を取り外す。次に、蓋４２を一旦上方に持ち上げて蓋４２を支持部材４１から離し、蓋４２の固定部４２ｂを後方に引き抜きながら係止部４２ｃを点検口４０から引き出す。
【００３０】
このようにして点検口４０を開放した状態で、作業者は点検口４０から手を入れてドレンパン３１の清掃を行う。このとき、ドレンパン３１は後方に傾斜しているので、汚れはドレンパン３１の後方に集中している。したがって、ドレンパンの主な汚れは、点検口４０を介して容易に清掃することができる。
【００３１】
この空気調和装置では、ドレンパン３１を取り外すことなく、ドレンパン３１の清掃を容易に行える。また、点検口４０の下端縁に切欠き２６ａが形成されるとともに支持部材４１にも切欠き４１ｃを形成し、ファン仕切板２６と支持部材４１とによって配管３１ａを固定しているため、配管押さえ用の部材を別途設ける必要がない。
【００３２】
［第２実施形態］
〔構成〕
図５は、本発明の第２実施形態に係る室内機１０の点検口部分を示す図である。本実施形態に係る空気調和装置は、前記実施形態と比較して、蓋機構部分のみが異なり、他の構成は同様である。
【００３３】
本実施形態の点検口４０も、前記実施形態と同様に、配管３１ａの上方に設けられている。そして、点検口４０を塞ぐために、上下の支持部材５２，４１と、この上下の支持部材５２，４１に取り外し自在に取り付けられる蓋５３とを有している。
【００３４】
下支持部材４１は、前記実施形態と同様であり、ファン仕切板２６への取付部４１ａと、取付部４１ａから後方に突出する支持部４１ｂとを有している。また、点検口４０の下端縁に形成された略半円状の切欠きとともに配管３１ａを押さえ込むための切欠きが形成されている点も同様である。
【００３５】
上支持部材５２は、形状は下支持部材４１と同様であり、ファン仕切板２６に固定される取付部５２ａと、取付部５２ａから後方に突出する支持部５２ｂとを有している。なお、支持部５２ｂには複数のねじ孔が形成されている。そして、この上支持部材５２は下支持部材４１と上下対称にファン仕切板２６に固定されている。
【００３６】
蓋５３は、側面視コ字状のプレート状の部材であり、蓋本体５３ａと、それぞれ蓋本体５３ａの上下の端部から後方に突出して形成された上下の固定部５３ｂ，５３ｃとを有している。蓋本体５３ａは点検口４０を覆うことが可能な大きさに形成されている。上固定部５３ｂは上支持部材５２の支持部５２ｂに支持されるものであり、下固定部５３ｃは下支持部材４１の支持部４１ｂに支持されるものである。上固定部５３ｂには上支持部材２のねじ孔に対応する位置に複数の貫通孔が形成されており、下固定部５３ｃには、支持部材４１の貫通孔に対応する位置に複数のねじ孔が形成されている。
【００３７】
このような蓋５３をファン仕切板２６に固定する場合は、上下の支持部材５２，４１の間に蓋５３を配置し、蓋５３の上下の固定部５３ｂ，５３ｃを各支持部材５２，４１の支持部５２ｂ，４１ｂにボルト４４により固定する。
【００３８】
〔清掃作業〕
このような室内機１０において、ドレンパン３１を清掃する際は、前記同様にグリルカバー２５を開き、点検口４０の後方に作業スペースを確保する。そして、蓋５３を各支持部材４１，５２に固定しているボルト４４を取り外す。これにより、蓋５３を取り外すことができ、作業者は点検口４０から手を入れてドレンパン３１の清掃を行うことができる。
【００３９】
この実施形態においても、前記実施形態同様の効果が得られる。
【００４０】
［他の実施形態］
（ａ）前記実施形態では点検口及び蓋をファン仕切板２６に設けたが、図６に示すように、点検口６０及び蓋６１を室内機１０の天板部２２の側面に設けても良い。すなわち、点検口６０は天板部２２の側面に形成されており、蓋６１はこの点検口６０に直接ねじあるいは係止用の凹凸部等を利用して着脱自在に取り付けられている。
【００４１】
この場合も、左右の化粧部材２７を取り外し、点検口６０から蓋６１を取り外すことにより、前記実施形態と同様に、ドレンパン３１の清掃を容易に行うことができる。
【００４２】
（ｂ）点検口及び蓋をファン仕切板２６及び天板部２２の側面の両方に設けても良い。この場合、ドレンパン３１の後方及び側面の両方から作業を行うことができ、ドレンパン３１の清掃をさらに容易に行うことができる。
【００４３】
（ｃ）配管３１ａを押さえ込む構成は前記実施形態に限定されない。例えば、蓋とその支持部材とにそれぞれ半円状の切欠きを形成し、これらの２つの部材によって配管を押さえ込んで固定するようにしてもよい。
【００４４】
【発明の効果】
請求項１に係る空気調和装置では、ドレンパンを本体ケーシングから取り外すことなく、ドレンパンの清掃を行うことができる。このため、ドレンパンの着脱作業が不要になり、ドレンパンの清掃が容易である。また、取り外したドレンパンを設置するために広いスペースを要することもない。さらに、蓋機構を構成する部材が配管押さえ板の役割をも果たすので、別途配管押さえ板を設ける必要がない。
【図面の簡単な説明】
【図１】  本発明の第１実施形態によるエアコンの天井吊り形の室内機の断面側面図。
【図２】  その断面平面図。
【図３】  その一部切り欠き側面分解斜視図。
【図４】  図３の拡大部分斜視分解図。
【図５】  本発明の第２実施形態に係る室内機の図３に相当する図。
【図６】  他の実施形態に係る室内機の一部切り欠き側面斜視図。
【符号の説明】
１０      室内機
１１      本体ケーシング
１２      ファン
１３      熱交換器
２０      吸い込み口
２１      吹き出し口
３１      ドレンパン
３１ａ    配管
４０，６０  点検口
４２，５３  蓋
【図１】
0004719968.tif 000002
【図２】
0004719968.tif 000003
【図３】
0004719968.tif 000004
【図４】
0004719968.tif 000005
【図５】
0004719968.tif 000006
【図６】
0004719968.tif 000007